(57)【要約】【課題】組立精度の確保と、組立作業時間及びコストの低減と、を両立する立体トラス構造物の組立方法を提供する。【解決手段】（ａ１）全ての下弦材１及び下弦連結部４をボルトで仮締めし、（ｂ１）１つの組立単位Ｇ１の全ての下弦連結部４の高さが同一になるように調整し、（ｃ１）平面視で最も外側の外枠四辺Ｆの下弦材１の軸が同軸になるように調整し、（ｄ１）平面視で最も外側の外枠四辺Ｆの下弦連結部４同士の間隔が規定間隔になるように調整し、（ｅ１）平面視で最も外側の外枠四辺Ｆの下弦連結部４の対角線に沿った間隔Ｐ６，Ｐ７が同一になるように調整し、（ｆ１）前記（ｂ１）、（ｃ１）、（ｄ１）及び（ｅ１）の全ての工程における調整後の状態が維持されるように、ボルトを本締めする工程と、を含む。【選択図】図６Ｂ
2019206881.tif 000002
【特許請求の範囲】
【請求項１】
下弦連結部を介して連結され且つ水平方向に沿って配置される複数の下弦材と、上弦連結部を介して連結され且つ水平方向に沿って配置される複数の上弦材と、前記下弦連結部及び前記上弦連結部に連結され且つ水平方向に対して傾斜する斜弦材と、を有し、前記下弦材、前記上弦材及び前記斜弦材は、直線状に形成され且つ端部のボルト孔を介して各々の連結部にボルトで締結可能に構成され、前記下弦材により平面視で正方形のグリッドが複数個×複数個形成される１つの組立単位の立体トラス構造物の組立方法であって、
（ａ１）前記１つの組立単位を構成する全ての前記下弦材及び前記下弦連結部をボルトで仮締めする工程と、
（ｂ１）前記１つの組立単位を構成する全ての前記下弦連結部の高さが同一になるように、調整する工程と、
（ｃ１）前記１つの組立単位において平面視で最も外側の外枠四辺に配置される前記下弦材の軸が同軸になるように、調整する工程と、
（ｄ１）前記１つの組立単位において平面視で最も外側の外枠四辺に配置される前記下弦材を連結する前記下弦連結部同士の間隔が規定間隔になるように、調整する工程と、
（ｅ１）前記１つの組立単位において平面視で最も外側の外枠四辺に配置される前記下弦材の四隅の前記下弦連結部の対角線に沿った間隔が同一になるように、調整する工程と、
（ｆ１）前記（ｂ１）、前記（ｃ１）、前記（ｄ１）及び前記（ｅ１）の全ての工程における調整後の状態が維持されるように、前記ボルトを本締めする工程と、
を含む、立体トラス構造物の組立方法。
【請求項２】
請求項１に記載の方法であって、
（ｇ１）前記１つの組立単位を構成する全ての斜弦材、上弦材及び上弦連結部をボルトで仮締めする工程と、
（ｈ１）前記１つの組立単位を構成する全ての前記上弦連結部の高さが同一になるように、調整する工程と、
（ｉ１）前記（ｈ１）の工程における調整後の状態が維持されるように、前記ボルトを本締めする工程と、
を含む、立体トラス構造物の組立方法。
【請求項３】
請求項１又は２に記載の方法を含む、建築物の建築方法であって、
前記建築物は、前記下弦連結部、前記下弦材、前記上弦連結部、前記上弦材、及び前記斜弦材を有する立体トラス構造物と、前記立体トラス構造物の前記下弦連結部を支持するための柱部と、を備えており、
前記建築方法は、
（ａ３）完成形における平面視で複数個×複数個の前記グリッドを、２以上×２以上のグリッドを有する組立単位に分割する工程と、
（ｂ３）各々の組立単位毎に、請求項１又は２に記載の各工程を実行する工程と、
（ｃ３）前記（ｂ３）の工程により組み立てられた組立単位のトラス構造物を吊り上げて、予め立設された柱部に載置する工程と、
（ｄ３）前記柱部に載置された状態の隣接する組立単位のトラス構造物同士を、下弦材、上弦材及び斜弦材にて連結する工程と、
を含む、建築物の建築方法。
【請求項４】
請求項３に記載の方法であって、
前記建築物は、前記立体トラス構造物の前記上弦連結部に支持される上部構造を更に備え、
前記（ｂ３）の工程において、請求項１に記載の前記（ａ１）、前記（ｂ１）、前記（ｃ１）、前記（ｄ１）、前記（ｅ１）及び前記（ｆ１）、請求項２に記載の前記（ｇ１）、前記（ｈ１）及び前記（ｉ１）の工程を実行する、建築物の建築方法。
【請求項５】
前記柱部は、各々の組立単位において平面視で最も外側の外枠四辺に配置される前記下弦材を連結する前記下弦連結部を支持する位置のみに配置され、前記外枠四辺よりも内側の下弦連結部を支持する位置には配置されていない、請求項３又は４に記載の方法。
【請求項６】
１グリッドの一辺長さ×グリッドの数により、一つの組立単位の寸法が定まり、
前記（ａ３）の工程において、前記一つの組立単位の寸法が１２ｍ以下となるように、分割する、請求項３〜５のいずれかに記載の方法。
【請求項７】
前記（ｃ３）の工程において、前記上弦連結部にワイヤーを掛けて立体トラス構造物を吊り上げる、請求項３〜６のいずれかに記載の方法。
【請求項８】
前記（ｂ１）の工程において、前記下弦連結部と地面との間に配置されたジャッキの長さを変更すること、若しくは、前記下弦連結部と地面との間に配置するスペーサの数又は寸法を変更することで、前記下弦連結部の高さを調整する、請求項１〜７のいずれかに記載の方法。
【発明の詳細な説明】
【技術分野】
【０００１】
本発明は、立体トラス構造物の組立方法、及び立体トラス構造物を有する建築物の建築方法に関する。
【背景技術】
【０００２】
立体トラス構造物は、建築物を構成する構造物の一部として使用される。立体トラス構造物の一つの例として、例えば特許文献１には、下弦連結部を介して連結され且つ水平方向に沿って配置される複数の下弦材と、上弦連結部を介して連結され且つ水平方向に沿って配置される複数の上弦材と、下弦連結部及び上弦連結部に連結され且つ水平方向に対して傾斜する斜弦材と、を有し、下弦材、上弦材及び斜弦材は、パイプ材で形成され、端部のボルト孔を介して各々の連結部にボルトで締結される。立体トラス構造物は、平面視において４本の下弦材で１つの正方形のグリッドが形成され、４本の上弦材で１つの正方形のグリッドが形成される。
【先行技術文献】
【特許文献】
【０００３】
【特許文献１】登録実用新案第３２１１０９９号公報
【発明の概要】
【発明が解決しようとする課題】
【０００４】
立体トラス構造物の必要な大きさを確保するために、平面視にて下弦材が複数個×複数個のグリッドを形成するように、複数の下弦材、上弦材及び斜弦材を組み立てる必要がある。連結部と各弦材をボルトで締結する場合には、ボルトの外径よりもボルト孔の内径を大きくして若干の遊びを持たせる必要がある。しかし、１つのボルト孔で数ｍｍの遊びが存在するとすれば、複数のグリッド分の遊びが積み重なれば、立体トラス構造物全体として組み付け誤差が許容できないレベルになる。そうすると、下弦連結部を下方から支持する柱部と下弦連結部の位置があわないことや、屋根構造又は床構造などの上部構造を立体トラス構造物上に設置する場合には上部構造を構成する部材と上弦連結部との位置があわないこと、立体トラス構造物を複数の組立単位に分割して別々に組み立てた後に連結しようとする場合に隣り合う組立単位の連結位置があわないこと、という不具合が招来されることが考えられる。よって、組立精度を確保することが要求されるが、組立精度を確保するための作業が多大になれば、組立作業時間および作業コストが増大してしまう。
【０００５】
本発明は、このような課題に着目してなされたものであって、その目的は、組立精度の確保と、組立作業時間及びコストの低減と、を両立する立体トラス構造物の組立方法、建築方法を提供することである。
【課題を解決するための手段】
【０００６】
本発明の立体トラス構造物の組立方法は、
下弦連結部を介して連結され且つ水平方向に沿って配置される複数の下弦材と、上弦連結部を介して連結され且つ水平方向に沿って配置される複数の上弦材と、前記下弦連結部及び前記上弦連結部に連結され且つ水平方向に対して傾斜する斜弦材と、を有し、前記下弦材、前記上弦材及び前記斜弦材は、直線状に形成され且つ端部のボルト孔を介して各々の連結部にボルトで締結可能に構成され、前記下弦材により平面視で正方形のグリッドが複数個×複数個形成される１つの組立単位の立体トラス構造物の組立方法であって、
（ａ１）前記１つの組立単位を構成する全ての前記下弦材、前記上弦材、前記斜弦材、前記下弦連結部及び前記上弦連結部をボルトで仮締めする工程と、
（ｂ１）前記１つの組立単位を構成する全ての前記下弦連結部の高さが同一になるように、調整する工程と、
（ｃ１）前記１つの組立単位において平面視で最も外側の外枠四辺に配置される前記下弦材の軸が同軸になるように、調整する工程と、
（ｄ１）前記１つの組立単位において平面視で最も外側の外枠四辺に配置される前記下弦材を連結する前記下弦連結部同士の間隔が規定間隔になるように、調整する工程と、
（ｅ１）前記１つの組立単位において平面視で最も外側の外枠四辺に配置される前記下弦材の四隅の前記下弦連結部の対角線に沿った間隔が同一になるように、調整する工程と、
（ｆ１）前記１つの組立単位を構成する全ての前記上弦連結部の高さが同一になるように、調整する工程と、
（ｇ１）前記（ｂ１）、前記（ｃ１）、前記（ｄ１）、前記（ｅ１）及び前記（ｆ１）の全ての工程における調整後の状態が維持されるように、前記ボルトを本締めする工程と、
を含む。
【０００７】
このようにすれば、（ｂ１）の工程により、全ての下弦連結部の高さが同一となるので、柱部との高さ方向の位置を適合させることが可能となる。また、（ｆ１）の工程により、全ての上弦連結部の高さが同一となるので、束などの屋根構造との高さ方向の位置を適合させることが可能となる。さらに、（ｃ１）、（ｄ１）及び（ｅ１）の工程により、平面視で最も外側の外枠四辺の下弦材及び下弦連結部の位置を適合させることが可能となり、それに伴い上弦連結部の位置も適合し、外枠四辺の下弦連結部と柱部との位置を整合させることや、外枠四辺の上弦連結部と束との位置を整合させること、隣接する別のトラス構造との連結位置を整合させることが可能となる。それでいて、（ｃ１）、（ｄ１）及び（ｅ１）の工程により外枠四辺の位置が適合し、おのずと外枠四辺よりも内側の位置ズレも許容範囲内に収まることになり、組立精度の確保と、組立作業時間及びコストの低減と、を両立可能となる。
【図面の簡単な説明】
【０００８】
【図１】立体トラス構造物を構成する下弦材、上弦材、斜弦材、下弦連結部及び上弦連結部を模式的に示す平面図及び側面図。
【図２】下弦材と下弦連結部の連結構造と、斜弦材と下弦連結部の連結構造とを示す平面図及び側面図。
【図３】上弦材と上弦連結部の連結構造と、斜弦材と上弦連結部の連結構造とを示す平面図及び側面図。
【図４】説明用の建築物における下弦材及び下弦連結部の配置を示す平面図。
【図５】説明用の建築物の一部を示す側面図。
【図６Ａ】建築物の建築方法を示すフローチャート。
【図６Ｂ】立体トラス構造物の組立方法を示すフローチャート。
【図７】完成形の複数個×複数個のグリッドを、２以上×２以上のグリッドの組立単位に分割した様子を示す平面図。
【図８Ａ】外枠四辺Ｆの下弦材の軸が同軸になるように調整する工程の説明図。
【図８Ｂ】外枠四辺Ｆの下弦連結部同士の間隔が規定間隔になるように調整する工程の説明図。
【図８Ｃ】外枠四辺Ｆの四隅の下弦連結部４の対角線に沿った間隔が同一になるように調整する工程の説明図。
【発明を実施するための形態】
【０００９】
＜立体トラス構造物の基本構造＞
図１に示すように、立体トラス構造物は、下弦連結部４を介して連結され且つ水平方向に沿って配置される複数の下弦材１と、上弦連結部５を介して連結され且つ水平方向に沿って配置される複数の上弦材２と、下弦連結部４及び上弦連結部５に連結され且つ水平方向に対して傾斜する斜弦材３と、を有する。図１は、立体トラス構造物を模式的に示す平面図及び側面図であり、見やすくするために、下弦材１同士を連結する下弦連結部４を丸で示し、上弦材２同士を連結する上弦連結部５をひし形で示している。同図に示すように下弦材１及び上弦材２は、直線状であり、Ｘ軸及びＹ軸に沿って配置される。斜弦材３は、直線状であり、Ｘ軸、Ｙ軸及びＺ軸の全てに対して傾斜して配置されている。図１では、下弦材１が５×４のグリッド（矩形）を形成する立体トラス構造物を例示しているが、発明を説明するための一例であり、これに限定されない。
【００１０】
図２に示すように、下弦連結部４は、下弦材１が連結される水平プレート４０と、斜弦材３が連結される２枚の垂直プレート４１と、を有する。２枚の垂直プレート４１には、スリット（非図示）が形成されており、各々のスリットに相手側のプレートを通すことで、平面視で十字になるように重ね合わされ、双方の垂直プレート４１が水平プレート４０に溶接されている。各々のプレート４０，４１には、下弦材１及び斜弦材３を連結するためのボルト孔が形成されている。
【００１１】
図３に示すように、上弦連結部５は、上弦材２が連結される水平プレート５０と、斜弦材３が連結される２枚の垂直プレート５１と、を有する。２枚の垂直プレート５１には、スリット（非図示）が形成されており、各々のスリットに相手側のプレートを通すことで、平面視で十字になるように重ね合わされ、双方の垂直プレート５１が水平プレート５０に溶接されている。各々のプレート５０，５１には、上弦材２及び斜弦材３を連結するためのボルト孔が形成されている。
【００１２】
図２及び図３に示すように、下弦材１、上弦材２及び斜弦材３は、金属のパイプ材６の端部を平プレスすることにより、中心部は円筒部分６０のままで、端部に平板部６１が形成されている。プレス加工は、パイプ材６のうち平板部６１にする部分のみをプレス機で挟んで、プレスする。これにより、円筒部分６０と平板部６１との間には、楕円状の変形部分が形成される。また、円筒部分６０と平板部６１の間の変形部分は、プレスにより拡がるため、円筒部分６０の直径よりも大きくなる。この製法によれば、例えば上下金型を用い、パイプ材の筒状部分と平板部分とその間の曲面部分との３個所全てを強制拘束させた強制拘束プレスに比べて、簡単な加工で形成できる。なお、強制拘束プレスでは、曲面部分が円状になり、円筒部分以下の径に形成される。
【００１３】
平板部６１には、パイプ材６の軸ＣＬに沿って複数（本実施形態では２つ）のボルト孔が形成され、複数のボルト孔を介して、連結部４，５を構成する水平プレート４０，５０又は垂直プレート４１，５１にボルト締めされる。なお、必要な強度に応じてパイプ材の径、ボルト孔の数は適宜変更可能である。ボルト孔の数は例えば３つ以上が挙げられる。
【００１４】
＜建築物の構造＞
説明用の建築物の構造について図４及び図５を用いて説明する。図４は、下弦材１及び下弦連結部４の配置を示す平面図である。この例の建築物は、下弦材１が１７個×１２個のグリッド（正方形）を形成する立体トラス構造物ＴＳ１を有する。一つのグリッドは、３０００ｍｍ×３０００ｍｍの正方形である。斜線が付された下弦連結部４は、柱部に接続されることを意味する。斜線が付されてない下弦連結部４は柱部に接続されない。図５は、建築物の一部の側面図である。図４における下弦連結部４ａ，４ｂ，４ｃの部分を示す図である。図５に示すように、建築物は、柱部７と、柱部７に支持される立体トラス構造物ＴＳ１（下弦材１、上弦材２、斜弦材３、下弦連結部４及び上弦連結部５）と、立体トラス構造物ＴＳ１に支持される上部構造８と、を有する。図５に示すように、下弦連結部４ａは、単一の柱材で構成された柱部７に載置され支持されて固定され、下弦連結部４ｂ，４ｃは、梁、柱及びブレス（筋交い）で構成された柱部７に載置され支持されて固定される。本実施形態の上部構造８は、束８ａ、母屋８ｂ、屋根８ｃを有する屋根構造であるが、これは一例であり、適宜変更可能である。本実施形態において、上部構造８を構成する束８ａは、上弦連結部５に載置され支持されて固定される。母屋８ｂは束８ａに支持されている。屋根８ｃは母屋８ｂに支持される。図５に示す上部構造は、屋根構造を一例としているが、これに限定されず、適宜変更可能である。例えば、上部構造は、二階等の床を構成する床構造でもよい。
【００１５】
＜建築物の建築方法＞
図４及び図５に示す建築物の建築方法を説明する。
【００１６】
図４に示す１７個×１２個のグリッドの立体トラス構造物を組み立てて、クレーンを用いて一括で吊り上げ、柱部７に載置することは難しい又は手持ちのリソース（重機、作業スペース）により不可能であることが多い。そこで、図６Ａに示すステップＳＴ１において、図７に示すように、完成形における平面視で複数個（１７個）×複数個（１２個）のグリッドを、２以上×２以上のグリッドを有する組立単位Ｇ１〜Ｇ１２に分割する。同図では、１２個の組立単位Ｇ１〜Ｇ１２に分割しているが、分割方法や分割数は適宜変更可能である。
【００１７】
次のステップＳＴ２において、組立単位Ｇ１〜Ｇ１２毎に、図６Ｂに示す組立工程を実行する。ここでは組立単位Ｇ１を例として説明する。ステップＳＴ２１（図６Ｂ参照）において、１つの組立単位Ｇ１を構成する全ての下弦材１及び下弦連結部４をボルトで仮締めする。この工程は、地面にて仮組みを行う。
【００１８】
次のステップＳＴ２２（図６Ｂ参照）において、１つの組立単位Ｇ１を構成する全ての下弦連結部４の高さが同一になるように、調整する。この調整を実行することにより、下弦連結部４を下方の柱部７に接続できなくなる不具合、建物全体が傾く不具合、及び、上弦材２の水平も狂うことによる屋根勾配等の上部構造の勾配が狂う不具合を防止することが可能となる。ステップＳＴ２２の工程は、本実施形態においては、下弦連結部４と地面との間に配置されたジャッキ（図示せず）の長さを変更することで、下弦連結部４の高さを調整している。勿論、これに限定されず、例えば、下弦連結部４と地面との間に配置するスペーサの数又は寸法を変更することで、下弦連結部４の高さを調整するようにしてもよい。
【００１９】
次に述べるステップＳＴ２３，２４，２５は、順不同である。いずれかの調整を実施すれば、他がずれることが多いので、繰り返し確認することが好ましい。
【００２０】
ステップＳＴ２３（図６Ｂ参照）において、図８Ａに示すように、１つの組立単位Ｇ１において平面視で最も外側の外枠四辺Ｆ（太い線で示す）に配置される下弦材１の軸が同軸になるように、調整する。この工程を実行することにより、外枠四辺の各辺の直線性が確保される。
【００２１】
ステップＳＴ２４（図６Ｂ参照）において、図８Ｂに示すように、１つの組立単位Ｇ１において平面視で最も外側の外枠四辺Ｆに配置される下弦材１を連結する下弦連結部４同士の間隔が規定間隔Ｐ１になるように、調整する。
【００２２】
ステップＳＴ２５（図６Ｂ参照）において、図８Ｃに示すように、１つの組立単位Ｇ１において平面視で最も外側の外枠四辺Ｆに配置される下弦材１の四隅の下弦連結部４の対角線に沿った間隔Ｐ６，Ｐ７が同一になるように、調整する。ステップＳＴ２５の工程を実行することにより、対角の間隔Ｐ６，Ｐ７（距離）が同一になるように調整することで、水平面にて菱形ではなく四角になっていることを確認している。
【００２３】
ステップＳＴ２３，２４，２５の工程を実施することにより、下方の柱部７との接続ができなくなる不具合、隣り合う他の組立単位のトラス構造との連結ができない不具合を防止することが可能になる。なお、ステップＳＴ２３の工程及びステップＳＴ２４の工程は、１つの組立単位Ｇ１において平面視で最も外側の外枠四辺Ｆよりも内側に配置される下弦材１及び下弦連結部４に対して実施しなくてもよい。
【００２４】
ステップＳＴ２６（図６Ｂ参照）において、ステップＳＴ２２〜２５の全ての工程における調整後の状態が維持されるように、下弦材１と下弦連結部４を連結するボルトを本締めする。
【００２５】
ステップＳＴ２７（図６Ｂ参照）において、１つの組立単位Ｇ１を構成する全ての斜弦材３、上弦材２及び上弦連結部５をボルトで仮締めする。
【００２６】
ステップＳＴ２８（図６Ｂ参照）において、１つの組立単位Ｇ１を構成する全ての上弦連結部５の高さが同一になるように、調整する。この調整を実行することにより、屋根構造等の上部構造８との接続ができなくなる不具合、建物全体が傾く不具合、及び、屋根勾配が狂う不具合を防止することが可能となる。
【００２７】
ステップＳＴ２９（図６Ｂ参照）において、ステップＳＴ２２〜２６の全ての工程における調整後の状態が維持されるように、ボルトを本締めする。
【００２８】
ステップＳＴ２１〜２９について、現実的には複数の作業者で実行するため、順序は入れ替わる場合がある。その場合でも、ステップＳＴ２１の後に、ステップＳＴ２２〜２５が順不同で実行され、その後にステップＳＴ２６が実行されていればよい。また、ステップＳＴ２７、２８、２９がこの順序で実行されていれば、ステップＳＴ２１〜２６と並行に、ステップＳＴ２７、２８、２９が実行されてもよい。例えば、或る作業者がステップＳＴ２１〜２６を実行し、他の作業者がステップＳＴ２７〜２９を並行して実行してもよい。また、ステップＳＴ２１とステップＳＴ２７を同時に実行し、その後にステップＳＴ２２〜２５、２８を実行し、その後にステップＳＴ２６とステップＳＴ２９を同時に実行してもよい。なお、立体トラス構造物ＴＳ１の上に上部構造８を設けない場合には、ステップＳＴ２８を省略することが可能である。
【００２９】
組立単位Ｇ１〜Ｇ１２での立体トラス構造物の組み立てが完了すれば、ステップＳＴ３（図６Ａ参照）において、組み立てられた組立単位Ｇ１〜Ｇ１２のトラス構造物を吊り上げて、予め立設された柱部７に載置して固定する。ここで、トラス構造物を吊り上げる際には、上弦連結部５のみにワイヤーを掛けて吊り上げることが好ましい。下弦材１、上弦材２及び斜弦材３は、軸方向に沿った圧縮及び引張力には強いがそれ以外の力に対しての耐力は検討されていないため、トラス構造物を破損することなく、吊り上げることができるためである。
【００３０】
ステップＳＴ４（図６Ａ参照）において、柱部７に載置された状態の隣接する組立単位のトラス構造物同士を、下弦材１、上弦材２及び斜弦材３にて連結する。これは、図７の例であれば、組立単位Ｇ１のトラス構造物と、組立単位Ｇ２のトラス構造物とが隣接しているため、これらを下弦材１、上弦材２及び斜弦材３にて連結する意味である。他の隣接するトラス構造物も同様に柱部７に載置した状態にて行う。
【００３１】
ステップＳＴ２〜４の工程は、全ての組立単位Ｇ１〜Ｇ１２のトラス構造物に対して実行する（ＳＴ５：ＮＯ）。ステップＳＴ２〜４の工程を、全ての組立単位Ｇ１〜Ｇ１２のトラス構造物に対して実行すれば完了とする（ＳＴ５：ＹＥＳ）。
【００３２】
ここで、ステップＳＴ１において、組立単位を設定するにあたり、図７に示すように、例えば組立単位Ｇ１において平面視で最も外側の外枠四辺Ｆ（太い線で示す）に配置される下弦材１を連結する下弦連結部４を支持する位置のみに柱部７が配置され、外枠四辺Ｆよりも内側の下弦連結部４を支持する位置に柱部７が配置されてないように、組立単位Ｇ１を設定することが好ましい。図７では斜線が付された下弦連結部４は、柱部に接続されることを意味する。柱部７に支持されない箇所については、外枠四辺Ｆよりも内側の下弦連結部４の水平方向の位置の多少のずれは許容でき、組立作業及びコスト低減になるからである。
【００３３】
本実施形態では、一つの組立単位の最大数が４×４以内になるようにしている。これは、３ｍ×４＝１２ｍであり、一つの組立単位の大きさが１２ｍ×１２ｍ以下になるようにしている。一つの組立単位の寸法（１グリッドの一辺長さ×グリッドの数）が１２ｍ以下となることが好ましい。外枠四辺Ｆに柱部７が配置されることになるので、柱部７の間隔が１２ｍ以下となる。柱部７の間隔を１２ｍ以下とすることで、法令にて定める複雑な構造計算式を使用することを回避でき、設計コスト及び作業コストを低減可能となるからである。
【００３４】
以上のように、本実施形態の立体トラス構造物の組立方法は、
下弦連結部４を介して連結され且つ水平方向に沿って配置される複数の下弦材１と、上弦連結部５を介して連結され且つ水平方向に沿って配置される複数の上弦材２と、下弦連結部４及び上弦連結部５に連結され且つ水平方向に対して傾斜する斜弦材３と、を有し、下弦材１、上弦材２及び斜弦材３は、直線状に形成され且つ端部のボルト孔を介して各々の連結部４，５にボルトで締結可能に構成され、下弦材１により平面視で正方形のグリッドが複数個×複数個形成される１つの組立単位Ｇ１［Ｇ１〜Ｇ１２］の立体トラス構造物の組立方法であって、
（ａ１）１つの組立単位Ｇ１［Ｇ１〜Ｇ１２］を構成する全ての下弦材１、上弦材２、斜弦材３、下弦連結部４及び上弦連結部５をボルトで仮締めする工程と、
（ｂ１）１つの組立単位Ｇ１［Ｇ１〜Ｇ１２］を構成する全ての下弦連結部４の高さが同一になるように、調整する工程と、
（ｃ１）１つの組立単位Ｇ１［Ｇ１〜Ｇ１２］において平面視で最も外側の外枠四辺Ｆに配置される下弦材１の軸が同軸になるように、調整する工程と、
（ｄ１）１つの組立単位Ｇ１［Ｇ１〜Ｇ１２］において平面視で最も外側の外枠四辺Ｆに配置される下弦材１を連結する下弦連結部４同士の間隔が規定間隔になるように、調整する工程と、
（ｅ１）１つの組立単位Ｇ１［Ｇ１〜Ｇ１２］において平面視で最も外側の外枠四辺Ｆに配置される下弦材１の四隅の下弦連結部４の対角線に沿った間隔Ｐ６，Ｐ７が同一になるように、調整する工程と、
（ｆ１）前記（ｂ１）、前記（ｃ１）、前記（ｄ１）及び前記（ｅ１）の全ての工程における調整後の状態が維持されるように、下弦材１と下弦連結部４を連結する前記ボルトを本締めする工程と、
を含む。
【００３５】
このようにすれば、（ｂ１）の工程により、全ての下弦連結部４の高さが同一となるので、柱部７との高さ方向の位置を適合させることが可能となる。さらに、（ｃ１）、（ｄ１）及び（ｅ１）の工程により、平面視で最も外側の外枠四辺Ｆの下弦材１及び下弦連結部４の位置を適合させることが可能となり、それに伴い上弦連結部５の位置も適合し、外枠四辺Ｆの下弦連結部４と柱部７との位置を整合させることや、外枠四辺Ｆの上弦連結部５と上部構造８との位置を整合させること、隣接する別のトラス構造との連結位置を整合させることが可能となる。それでいて、（ｃ１）、（ｄ１）及び（ｅ１）の工程により外枠四辺Ｆの位置が適合し、おのずと外枠四辺Ｆよりも内側の位置ズレも許容範囲内に収まることになり、組立精度が確保され建築物として組立可能となるとともに、組立作業時間及びコストの低減と、を両立可能となる。
【００３６】
本実施形態の立体トラス構造物の組立方法は、
（ｇ１）１つの組立単位Ｇ１［Ｇ１〜Ｇ１２］を構成する全ての斜弦材３、上弦材２及び上弦連結部５をボルトで仮止めする工程と、
（ｈ１）１つの組立単位Ｇ１［Ｇ１〜Ｇ１２］を構成する全ての上弦連結部５の高さが同一になるように、調整する工程と、
（ｉ１）前記（ｈ１の工程における調整後の状態が維持されるように、ボルトを本締めする工程と、
を含む。
【００３７】
このようにすれば、（ｈ１）の工程により、全ての上弦連結部５の高さが同一となるので、屋根構造などの上部構造８との高さ方向の位置を適合させることが可能となる。したがって、上部構造８との適切な連結が可能となる。
【００３８】
本実施形態の建築物の建築方法は、上記立体トラス構造物の組立方法を含む、建築物の建築方法である。建築物は、下弦連結部４、下弦材１、上弦連結部５、上弦材２、及び斜弦材３を有する立体トラス構造物ＴＳ１と、立体トラス構造物ＴＳ１の下弦連結部４を支持するための柱部７と、を備えており、
建築方法は、
（ａ３）完成形における平面視で複数個×複数個の前記グリッドを、２以上×２以上のグリッドを有する組立単位Ｇ１〜Ｇ１２に分割する工程と、
（ｂ３）各々の組立単位Ｇ１〜Ｇ１２毎に、前記（ａ１）〜前記（ｆ１）、若しくは、前記（ａ１）〜前記（ｉ１）の各工程を実行する工程と、
（ｃ３）前記（ｂ３）の工程により組み立てられた組立単位Ｇ１〜Ｇ１２のトラス構造物を吊り上げて、予め立設された柱部７に載置する工程と、
（ｄ３）柱部７に載置された状態の隣接する組立単位のトラス構造物同士を、下弦材１、上弦材２及び斜弦材３にて連結する工程と、
を含む。
【００３９】
このようにすれば、大きなグリッドの立体トラス構造物を吊り上げることが不可能であったとしても、このように複数の組立単位Ｇ１〜Ｇ１２に分割することにより、個々の組立単位の立体トラス構造物を吊り上げることで、柱部７の上で組立可能となる。よって、大きな建築物を建築可能となる。
【００４０】
本実施形態の建築物の建築方法において、建築物は、立体トラス構造物ＴＳ１の上弦連結部５に支持される屋根構造８を備えており、
前記（ｂ３）の工程において、前記（ａ１）、前記（ｂ１）、前記（ｃ１）、前記（ｄ１）、前記（ｅ１）、前記（ｆ１）、前記（ｇ１）、前記（ｈ１）及び前記（ｉ１）の工程を実行する。
【００４１】
このようにすれば、（ｈ１）の工程により、全ての上弦連結部５の高さが同一となるので、屋根構造などの上部構造８との高さ方向の位置を適合させることが可能となる。さらに、（ｃ１）、（ｄ１）及び（ｅ１）の工程により、平面視で最も外側の外枠四辺Ｆの下弦材１及び下弦連結部４の位置を適合させることが可能となり、それに伴い上弦連結部５の位置も適合し、外枠四辺Ｆの上弦連結部５と上部構造８との位置を整合させることが可能となる。したがって、上部構造８との適切な連結が可能となる。
【００４２】
本実施形態の組立方法及び建築方法において、柱部７は、各々の組立単位Ｇ１〜Ｇ１２において平面視で最も外側の外枠四辺Ｆに配置される下弦材１を連結する下弦連結部４を支持する位置のみに配置され、外枠四辺Ｆよりも内側の下弦連結部４を支持する位置には配置されていない。
【００４３】
このようにすれば、外枠四辺Ｆよりも内側の下弦連結部４の位置が多少ずれるおそれがあるが、これらの下弦連結部４は柱部７とは接続されないので、建築物として不具合が発生せず、作業時間及び作業コストを低減することが可能となる。
【００４４】
本実施形態の方法において、１グリッドの一辺長さ×グリッドの数により、一つの組立単位Ｇ１〜Ｇ１２の寸法が定まり、
前記（ａ３）の工程において、一つの組立単位の寸法が１２ｍ以下となるように、分割する。
【００４５】
このようにすれば、設計期間及び作業コストを低減可能となる。
【００４６】
本実施形態の方法において、前記（ｃ３）の工程において、上弦連結部５にワイヤーを掛けて立体トラス構造物を吊り上げる。
【００４７】
このようにすれば、トラス構造物を破損することなく、吊り上げることができる。
【００４８】
本実施形態の方法において、前記（ｂ１）の工程において、下弦連結部４と地面との間に配置されたジャッキの長さを変更すること、若しくは、下弦連結部４と地面との間に配置するスペーサの数又は寸法を変更することで、下弦連結部４の高さを調整する。
【００４９】
このようにすれば、下弦連結部４の高さを容易に調整可能となる。
【００５０】
以上、本発明の実施形態について図面に基づいて説明したが、これらの実施形態に限定されるものでない。本発明の範囲は、上記した実施形態の説明だけではなく特許請求の範囲によって示され、さらに特許請求の範囲と均等の意味および範囲内でのすべての変更が含まれる。
【００５１】
上記の各実施形態で採用している構造を他の任意の実施形態に採用することは可能である。各部の具体的な構成は、上述した実施形態のみに限定されるものではなく、本発明の趣旨を逸脱しない範囲で種々変形が可能である。
【符号の説明】
【００５２】
１…下弦材
２…上弦材
３…斜弦材
４…下弦連結部
５…上弦連結部
７…柱部
８…上部構造
Ｇ１〜Ｇ１２…組立単位
Ｆ…外枠四辺
【図１】
2019206881.tif 000003
【図２】
2019206881.tif 000004
【図３】
2019206881.tif 000005
【図４】
2019206881.tif 000006
【図５】
2019206881.tif 000007
【図６Ａ】
2019206881.tif 000008
【図６Ｂ】
2019206881.tif 000009
【図７】
2019206881.tif 000010
【図８Ａ】
2019206881.tif 000011
【図８Ｂ】
2019206881.tif 000012
【図８Ｃ】
2019206881.tif 000013